(57)【要約】  本発明のボトルの蓋は各々異なる規格の容器首に一つのボトルの蓋を用いて結合できるように構成したもので、望ましくは２６．７８ｍｍとか２８．００ｍｍの容器首を有する容器に異種物質が入ったボトルの蓋を購入して組み立てると容器首の規格に関係なくボトルの蓋が組み立てられるように構成したマルチ結合部を有するボトルの蓋に関する。
2010534170.tif 000002
【特許請求の範囲】
【請求項１】
内部に内容物が入れた容器、前記容器首に組み立てられたボトルの蓋を除去し、前記ボトルの蓋が除去された容器首に異種物質が入れたボトルの蓋を組み立てるように構成されたボトルの蓋と、
前記ボトルの蓋が各々異なる規格の容器首に結合できるように容器首に対応する内側面部に複数の結合部を形成したことを特徴とするボトルの蓋。
【請求項２】
前記内側面部には上側結合部と下側結合部を構成することを特徴とする請求項１記載のボトルの蓋。
【請求項３】
前記上側結合部は下側結合部に対応する容器首より狭い形態のことに適合するようにねじ山などの結合部が形成されることを特徴とする請求項２記載のボトルの蓋。
【請求項４】
前記下側結合部は上側結合部に対応する容器首より広い形態のことに適合するようにねじ山などの結合部が形成されたことを特徴とする請求項２記載のボトルの蓋。
【請求項５】
前記上側結合部は２６．７８ｍｍの容器首ねじ山に結合されるようにねじ山などの結合部が形成されたことを特徴とする請求項３記載のボトルの蓋。
【請求項６】
前記下側結合部は２８．００ｍｍの容器首ねじ山に結合されるようにねじ山などの結合部が形成されたことを特徴とする請求項４記載のボトルの蓋。
【請求項７】
前記下側結合部は上側結合部に対応する容器首ねじ山に差し支えなくて前記容器首ねじ山の下側空間に下側結合部が位置されるように構成したことを特徴とする請求項２記載のボトルの蓋。
【請求項８】
前記ボトルの蓋は下側には下端部を形成することを特徴とする請求項１または請求項２に記載のボトルの蓋。
【請求項９】
前記下端部は容器首のスカート係合敷居に残っているスカートを囲む形態に組み立てられる空間があるように構成されたことを特徴とする請求項８記載のボトルの蓋。
【請求項１０】
前記下端部は容器首に残っているスカートと容器首の輪を囲む形態に組み立てられるように空間があるように構成されたことを特徴とする請求項８記載のボトルの蓋。
【請求項１１】
前記ボトルの蓋の下端部には他の規格の容器首に組み立てることができる補助結合部を構成することを特徴とする請求項１記載のボトルの蓋。
【請求項１２】
前記補助結合部は下端部に別途組み立てるように構成したことを特徴とする請求項１１記載のボトルの蓋。
【請求項１３】
内部に内容物が入った容器、前記容器の容器首は２６．７８ｍｍと２８．００ｍｍであって、
前記容器首の組み立てられたボトルの蓋を除去し、前記ボトルの蓋が除去された容器首に異種物質が入ったボトルの蓋を組み立てるように構成されたボトルの蓋と、
前記ボトルの蓋が各々異なる規格の容器首に結合されるように２６．７８ｍｍと２８．００ｍｍ容器首に対応する結合部を形成することにおいて、
前記結合部はボトルの蓋の本体内側面部に形成し、前記内側面部に形成される結合部は上側に２６．７８ｍｍに合う上側結合部を、そして下側には２８．００ｍｍに合う下側結合部を形成することを特徴とするボトルの蓋。
【請求項１４】
前記ボトルの蓋の下端部には容器首のスカート係合敷居に残っているスカートを囲む形態に組み立てられるように空間があるように構成されることを特徴とする請求項１３記載のボトルの蓋。
【請求項１５】
前記下端部は容器首に残っているスカートと容器首の輪を囲む形態に組み立てられるように空間があるように構成されることを特徴とする請求項１３記載のボトルの蓋。
【請求項１６】
ボトルの蓋の内部にパウダーとか液体など異種物資が入っており、前記ボトルの蓋に入った異種物質は容器首に結合されたり、または結合された後、ボトルの蓋をタッチしたり、開放する過程または容器を加圧する過程にボトルの蓋の内部に入った異種物質が容器内部に落下混合されるように構成された異種物質が入ったボトルの蓋において、
前記ボトルの蓋は、２６．７８ｍｍと２８．００ｍｍの容器首に組み立てることができるように結合部が構成され、
前記結合部はボトルの蓋の本体内側面部に形成され、前記内側面部に形成される結合部は上側に２６．７８ｍｍに合う上側結合部を、そして下側には２８．００ｍｍに合う下側結合部を形成することを特徴とするボトルの蓋。
【請求項１７】
ボトルの蓋の内部にパウダーとか液体など異種物資が入っており、前記ボトルの蓋に入った異種物質は容器首に結合されたり、または結合された後、ボトルの蓋をタッチしたり、開放する過程または容器を加圧する過程にボトルの蓋の内部に入った異種物質が容器内部に落下混合されるように構成された異種物質が入ったボトルの蓋において、
前記ボトルの蓋は、容器首の規格（大きさ、形状など）が異なる容器首に組み立てることができるように結合部が構成され、
前記結合部はボトルの蓋の本体内側面部に形成することにおいて、
前記内側面部に形成される結合部は、上側に容器首の規格が小さい（狭い）容器首ねじ山に結合できる上側結合部を構成し、下側には容器首の規格が広い（大きい）容器首ねじ山に結合できる下側結合部を形成することを特徴とするボトルの蓋。
【請求項１８】
前記ボトルの蓋の下側には容器首のスカート係合敷居に残っているスカートを囲む形態に組み立てられるように空間があるように構成されることを特徴とする請求項１７記載のボトルの蓋。
【発明の詳細な説明】
【技術分野】
【０００１】
本発明は、ボトルの蓋に関し、より詳しくは、蓋規格と形状が異なる一つの蓋を有する各種の容器に結合することができる新規な形態のボトルの蓋に関する。
【０００２】
そして、本発明は、ボトルの蓋の内部に異種物質を受容し、前記異種物質を受容したボトルの蓋を消費者が購入してこれを規格が異なる容器の首に容易に組み立てて使うことがきることに関する。
【背景技術】
【０００３】
一般にボトルの蓋は、一つの蓋が、その一つの蓋に対応する規格の容器の首のみに組み立てられて密閉されることを原則にしている。
【０００４】
このような理由はボトルの蓋は高い密閉力を維持すべきであるので、ボトルの蓋に形成されたねじ山と容器の首に形成されたねじ山が異なるとか、またはその大きさが異なる場合、基本的に結合されなく、また密閉もできなくて今までは活発に研究されない分野である。
【０００５】
一部の蓋には、一つの蓋で内側と外側に二つの結合部を設けて使用することができるが、これは内側が狭く、外側が広くなっている規格にしたがっている場合は使用できるのであるが、本発明のように容器の首の規格が類似している技術には応用することができず、本発明は前記の技術的な問題点を解決することにその目的がある。
【発明の概要】
【発明が解決しようとする課題】
【０００６】
本発明の目的は、例えば、ある特定の容器の首の規格が２６．７８ｍｍで、他の容器の首の規格が２８．００ｍｍである場合、前記容器の首の規格が相違するため、一般のボトルの蓋では、このように容器の角の寸法が異なる容器の首に同一のボトルの蓋で密閉させることができない。しかし、本発明によれば、容器の首に結合されるボトルの蓋の本体の内側面の部位に各々異なる内側結合部と下側結合部を配してその目的を達成しようとすることにある。
【０００７】
本発明の他の目的は、容器首による各々のボトルの蓋を備えなくても一つのボトルの蓋で各々異なる容器首にボトルの蓋を組み立てて使用することができる利便性を提供することにある。
【課題を解決するための手段】
【０００８】
前記目的を実現するための本発明によるボトルの蓋は、様々な方法で内部に異種物質を受容しており、前記ボトルの蓋を容器首に結合した後、ボトルの蓋を開放したり、タッチすると内部に入れた異種物資が容器内部に落下混合されるように構成されており、詳しくはボトルの蓋が容器首に結合される本体の内側面部、すなわち容器の首のねじ山に対応する部位である内側面部に複数の結合部を形成する。
【０００９】
本発明による複数の結合部は、内側面の部位に内側結合部と下側結合部を形成することにおいて、望ましくは上側結合部は容器の首が多少狭くされた規に適合した結合部（ねじ山など）を形成し、下側結合部は容器の首が広くされた規格に適合した結合部（ねじ山など）を形成する。
【００１０】
そして、前記上側結合部と下側結合部を、例えば上側結合部は容器首の規格が２６．７８ｍｍに適合した結合部を形成し、下側結合部は２８．００ｍｍに適合した結合部を形成する。
【００１１】
また、前記ボトルの蓋の結合部は下端に連続して段を形成するか、または別途の結合部を組み立てることによりその目的を達成することができる。
【発明の効果】
【００１２】
本発明は容器毎にその首による各々のボトルの蓋を別途準備せずに同一のボトルの蓋で、異なる容器の首に組み立ててその目的を達成することができ、販売店では品目の単一化により管理費用が節約され、消費者は一つのボトルの蓋を有しておれば類似の容器に組み立てることができ、別途の注意事項がなくても便利に使用することができるという利点がある。
【００１３】
特に多く使用されている２６．７８ｍｍまたは２８．００ｍｍの容器に拘わらず、同一のボトルの蓋を用いてこれを容器に組み立てて、またはボトルの蓋に入れた異種物質を開放して飲用することができるという利点がある。
【図面の簡単な説明】
【００１４】
【図１】本発明の第１実施を示すことで、容器首の規格が広いことにボトルの蓋が組み立てられた状態を示す。
【図２】図１に続いた説明で、容器首の規格が狭いことにボトルの蓋が組み立てられた状態を示す。
【図３】各々異なる容器首に結合される結合部（上側結合部、下側結合部）の一部の状態を示す。
【図４】本発明のまた他の実施を示したことで、結合部（上側結合部、下側結合部、補助結合部）の多様な変形の例を示す。
【図５】本発明のまた他の実施を示したことで、結合部（上側結合部、下側結合部、補助結合部）の多様な変形の例を示す。
【図６】本発明のまた他の実施を示したことで、結合部（上側結合部、下側結合部、補助結合部）の多様な変形の例を示す。
【図７】本発明のまた他の実施を示したことで、結合部（上側結合部、下側結合部、補助結合部）の多様な変形の例を示す。
【図８】本発明のまた他の実施を示したことで、異種物質が入れたボトルの蓋が多様に設計変更されることができることを示す。
【図９】本発明のまた他の実施を示したことで、異種物質が入れたボトルの蓋が多様に設計変更されることができることを示す。
【発明を実施するための形態】
【００１５】
以下、本発明の望ましい実施例を添付した図面に基づいて詳細に説明する。
【００１６】
図１は本発明の望ましい一実施例を示す図面として、本発明のボトルの蓋１は、飲料容器などにスクリュー方式に結合されることを基本にしており、または前記ボトルの蓋１の内部には多様な形態の設計で貯蔵空間２とか他の異種物資を受容するように構成され、前記ボトルの蓋１は容器１００の上端の容器首ねじ山１０２がある容器首１０１に結合される本体３が構成される。
【００１７】
そして、前記異種物質が受容されたボトルの蓋１の本体３の内側面部４には複数の結合部を形成し、望ましくは前記結合部は上側と下側を構成する内側面部４に形成する。
【００１８】
前記内側面部４に形成される結合部は、上側結合部５と下側結合部６に構成されるもので、望ましくは下側結合部６は容器首１０１の規格が大きい形態のことに適合するようにねじ山などが形成されるもので、前記技術が使用されることも図１の通りである。
【００１９】
また、前記ボトルの蓋１の上側結合部５は容器の首２０１が広くされた形態にかかわる規格に適合したねじ山などが形成されるもので、その状態を図２に示す。
【００２０】
前記本発明を、従来の容器の首の寸法が２６．７８ｍｍと２８．００ｍｍものを基準にして説明すると、内側結合部５は、容器の首が２６．７８ｍｍの寸法のもののねじ山２０２と係合して固定することができる最小限のねじ山などを形成し、その形態は比較的上側に形成することで、下側結合部６は、容器の首が２６．７８ｍｍのもののねじ山２０２に差し替えなくても容器の首が２８．００ｍｍのもののねじ山１０２と係合して固定することができるねじ山などを形成することである。
【００２１】
このような本発明のボトルの蓋１をより詳しく説明すると、２８．００ｍｍの容器の首１０１を有する容器１００に本発明のボトルの蓋１を結合すると、図１の通り、内側結合部５は上側の容器首ねじ山１０２を少し囲む形態で位置づけられ、同時に下側結合部６は下側に形成された容器首ねじ山１０２に強く結合されて密閉力を維持するようになる。
【００２２】
そして、前記した結合過程に本体３の下端に形成された隙間ができる形態の下端部７は容器１００のスカート係合部１０３に残っているスカート２００と共に輪１０４を囲む形態で組み立てられる。
【００２３】
ここで参考までに水（生水）が充填された容器を購入してボトルの蓋を除去して本発明のボトルの蓋１を結合すると、大部分のボトルの蓋は下端の偽造防止用スカート２００が容器１００のスカート係合部１０３に残って、本発明の下端部７は前記スカート２００と輪１０４を囲む形態で結合される。
【００２４】
前記下端部７はボトルの蓋１が容器首１０１に正しく組み立てられるガイドとしての役割をも果たすので、下端部７は長ければ長いほど有利であり、望ましくはスカート２００または輪１０４を選択したり、または同時に囲む形態をすべて満足させることができる。
【００２５】
他の実施形態として、図２に示したように容器の首２０１が狭くされた規格の容器の首のねじ山２０２に上側結合部５が結合され、下側結合部６は容器の首ねじ山２０２と接触せずにその下方の空間に下側結合部６が位置づけられるのが良く、また同時に下端部７はスカート２００または輪２０４を囲む形態に組み立てられるのとが良い。
【００２６】
したがって、前記上側結合部５と下側結合部６は、容器の首１０１、２０１の規格が類似の形態のものと対応するように、その構造を変更することができる。その一例として、図３に示すように内側面部４に大きさと形態が異なる上側結合部５と下側結合部６を形成するか、または段がある形態にその結合部を変形することができる。しかし、望ましくは図４で示すように上側結合部５と下側結合部６を有するか、または一つ以上の結合部を有する状態で、その下端部に結合されるか、または他の規格の容器の首に結合されるさらに大きい形態の補助結合部８を形成する。
【００２７】
前記の補充説明として、補助結合部８は上側結合部５とか下側結合部６に対応する容器の首１０１、２０１と差し替えずに結合されることができる大きさと形態に設計されることが望ましい。
【００２８】
図５の通りの他の実施形態として、下端部７または他の容器の首５１０に組み立てられる補助結合部５８を構成する。
【００２９】
図６および図７に示す通り、他の実施形態として本体３の下端部に形成される補助結合部８、９は複数個に形成することができ、また組立形態の補助結合部７８も図７に示したように結合部を複数備えることができる。
【００３０】
このように本発明のボトルの蓋１は多様な形態の変形ができ、その一つの変形状態を図８または図９に示す通りに他の変形も可能である。上述のボトルの蓋１は図１の場合は、上蓋１０を開放すると貯蔵空間２の内容物が容器１００内部の内容物に落下混合されるもので、図８の場合は、上蓋１１を開放するとこれも貯蔵空間２に充填されていた内容物が容器１００の内部に落下混合し、図９の場合は、上蓋１２を持ち上げると貯蔵空間２に充填されていた内容物が落下する。
【産業上の利用可能性】
【００３１】
本発明は濃縮液と水、または濃縮液と一般飲料、または顆粒と水、または粉末と水などを効果的に混合するための異種物質が入れたボトルの蓋を、市中に流通中である飲料とか純粋な水差し（容器）に容易に結合させることができるように複数の結合部（上側結合部、下側結合部、補助結合部）がボトルの蓋に形成されるので、消費者は本発明のボトルの蓋を購入した後、規格が多様な形態の容器首に結合されたボトルの蓋を除去して本発明のボトルの蓋を組み立ててボトルの蓋の内部に入れた異種物質を容器に落下混合させて飲用することができる。
【図１】
2010534170.tif 000003
【図２】
2010534170.tif 000004
【図３】
2010534170.tif 000005
【図４】
2010534170.tif 000006
【図５】
2010534170.tif 000007
【図６】
2010534170.tif 000008
【図７】
2010534170.tif 000009
【図８】
2010534170.tif 000010
【図９】
2010534170.tif 000011
【国際調査報告】
2010534170.tif 000012
2010534170.tif 000013